(57)【要約】【課題】使用状態で、腕杆が、上方に回動して垂直状態になって、洗濯物を汚したり、物干装置を壊したりすることがないようにする。【解決手段】本発明の物干装置は、ベランダの手摺りＴ等に固定される取付具４に、支柱１を上下に摺動可能に取り付け、支柱１の上端部には蓋具３が固定され、さらに、この蓋具３が固定された支柱１に、腕杆２が回動可能かつ摺動可能に取り付けられている。そして、支柱１には、あおり止具５を設けて成り、あおり止具５は、腕杆２に係合しており、支柱１に対して摺動可能な状態と摺動不能な状態に変更することができ、摺動可能な状態の時には、腕杆２を使用状態から収納状態に移行することができ、摺動不能な状態の時には、腕杆２を使用状態から収納状態に移行することができず、あおり止めの機能を発揮するようになっている。【選択図】図１
2010167075.tif 000002
【特許請求の範囲】
【請求項１】
ベランダの手摺り等の被取付体に直接又は間接的に取り付けられる支柱と、竿受部を有する腕杆とを具備して成り、腕杆は、支柱に対して回動可能かつ摺動可能で、斜め上に傾斜した状態又は水平状態の少なくともいずれか一方の使用状態に設定することができると共に、垂直状態の収納状態に設定することができる物干装置において、支柱には、取付側と反対側に腕杆を上下に摺動する案内となるガイド部を設け、ガイド部には、あおり止具を摺動可能に設けて成り、あおり止具は、腕杆の基端部と係合しており、腕杆の上方への回動を不能にする状態と可能にする状態とに変更することができ、腕杆が垂直状態となった時に腕杆と共に上下に摺動できることを特徴とする物干装置。
【発明の詳細な説明】
【技術分野】
【０００１】
本発明は、ベランダの手摺り等に取り付けて、物干竿を挿通して使用する物干装置に関するものである。
【背景技術】
【０００２】
従来より、特願平９−１２１６４５号（特開平１０−２９５９９６号）発明のように、ベランダの手摺り等の被取付体に取り付けられる支柱と、竿受部を有する腕杆とを具備して成り、腕杆は、支柱に対して回動可能かつ摺動可能で、斜め上に傾斜した状態の使用状態に設定することができ、腕杆を上方へ回動して垂直状態にし、その後下方に摺動して、垂直状態の収納状態に設定することができる物干装置は提案されている。
【先行技術文献】
【特許文献】
【０００３】
【特許文献１】特開平１０−２９５９９６号公報
【発明の概要】
【発明が解決しようとする課題】
【０００４】
上記従来例においては、あおり止具が設けられていないので、使用状態で、物干竿にシーツ等の表面積の大きい洗濯物を干すと、強風が吹いた時に大きい力を受けてあおられ、腕杆は、上方に回動して垂直状態になってしまうことがあり、下方に摺動して落下し、洗濯物を汚したり、腕杆が上方へ勢いよく回動することによって物干装置を壊したりするという問題があり、本発明は、この問題を解決することを課題としている。
【課題を解決するための手段】
【０００５】
本発明は、上記の課題を解決するための物干装置であり、ベランダの手摺り等の被取付体に直接又は間接的に取り付けられる支柱と、竿受部を有する腕杆とを具備して成り、腕杆は、支柱に対して回動可能かつ摺動可能で、斜め上に傾斜した状態又は水平状態の少なくともいずれか一方の使用状態に設定することができると共に、垂直状態の収納状態に設定することができる物干装置において、支柱には、取付側と反対側に腕杆を上下に摺動する案内となるガイド部を設け、ガイド部には、あおり止具を摺動可能に設けて成り、あおり止具は、腕杆の基端部と係合しており、腕杆の上方への回動を不能にする状態と可能にする状態とに変更することができ、腕杆が垂直状態となった時に腕杆と共に上下に摺動できることを特徴とする物干装置である。
【発明の効果】
【０００６】
以上のように本発明によれば、あおり止具によって腕杆の上方への回動を不能にすることができるので、使用中に洗濯物が風であおられても、腕杆が上方へ回動することがなく、腕杆が下方に摺動して洗濯物を汚したり、腕杆が上方へ勢いよく回動することによって物干装置を壊したりすることがないという効果がある。
【０００７】
また、あおり止具は、支柱のガイド部に、使用状態の腕杆の下部に位置するように、摺動可能に取り付けて成るので、正面から見やすく操作しやすい位置にありながら、支柱が垂直状態となった時に支柱と共に上下に摺動することになるので、あおり止具をいちいち取り外すことなく、腕杆を使用状態と収納状態に変更することができるという効果がある。
【０００８】
さらに、通常この種の物干装置は、背面をベランダの手摺りに取り付けて使用することが多く、背面側から太陽の日差しを受けるので、正面側に取り付けられたあおり止具には、日差しが当たりにくく、合成樹脂等で製作しても劣化しにくいという効果がある。
【図面の簡単な説明】
【０００９】
【図１】実施例１の腕杆が斜め上向きの使用状態を示す側面図である。
【図２】実施例１の腕杆の収納状態を示す側面図である。
【図３】図１の要部拡大断面図であり、腕杆が上方へ回動できない状態を示している。
【図４】図３と同様の要部拡大断面図であり、腕杆が上方へ回動できる状態を示している。
【図５】図２の要部拡大断面図である。
【図６】図３のＡ−Ａ線断面図である。
【図７】図３のＢ−Ｂ線端面図である。
【図８】実施例１のあおり止具の分解斜視図である。
【図９】実施例２の要部拡大断面図であり、腕杆が上方へ回動できない状態を示している。
【図１０】図９と同様の要部拡大断面図であり、腕杆が上方へ回動できる状態を示している。
【図１１】図９のＣ−Ｃ線断面図である。
【実施例１】
【００１０】
図１〜図８に基づいて本発明の実施例１を説明する。
本発明の物干装置は、被取付体であるベランダの手摺りＴに固定される取付具４に、支柱１の後面側（取付側）を上下に摺動可能に取り付け、支柱１の上端部には蓋具３が固定され、さらに、この蓋具３が固定された支柱１に、腕杆２が回動可能かつ摺動可能に取り付けられている。腕杆２が、斜め上向きの状態が使用状態（図１参照）であり、腕杆２が上方へ回動して垂直状態になり下方へ移動した状態が収納状態（図２参照）である。そして、支柱１には、腕杆２の基端部に位置するように、あおり止具５を設けて成り、あおり止具５は、腕杆２に係合しており、支柱１に対して摺動不能な状態と摺動可能な状態に変更することができ、摺動不能な状態の時には、腕杆２が使用状態から上方へ回動することができず、あおり止めの機能を発揮するようになっている。
【００１１】
支柱１は、押し出し材であって、前面側（取付側と反対側）には、前方に開口し、前端部に内向きに突出し間隔をおいて相対向する一対の対向突起部１５・１５を設けた略蟻溝状で、垂直状態となった腕杆２が上下摺動するガイド部６を設けて成る。このガイド部６の下方部には、腕杆２の下方への摺動を停止させる停止具９を固定してある。また、支柱１のガイド部６の上部後方には、断面円形ピンのストッパー８及びその少し下方に略直方体状の受止具７が固定されており、このストッパー８と受止具７に腕杆２の基端部が当接して腕杆２を斜め上に傾斜した使用状態に設定することができる（図３参照）。
【００１２】
蓋具３は、上方の一部及び前方が開口し、上方の開口部は、垂直状態となった腕杆２が上下摺動し、前方の開口部には、内向きに突出し間隔をおいて相対向する一対の外止部１１・１１を設けて成り、後述する腕杆２の突条部１４・１４が前方に外れるのを阻止している。上方の開口部及び外止部１１・１１は、腕杆２が摺接するので、合成樹脂製の案内カバー１０が取り付けてある。
【００１３】
腕杆２は、複数の竿受部１２・・・１２を設けると共に、周縁両側面に厚み方向に突出する突条部１４・１４を設けてある。また、腕杆２には、突条部１４・１４の基端部上部に突条部１４・１４よりもさらに厚み方向に突出する円形の案内突起１３・１３を両面に設けてある。案内突起１３・１３は、支柱１のガイド部６を摺接するので合成樹脂製のキャップを被せてある。
【００１４】
あおり止具５は、本体１６、ノブ付ボルト１７及び雌ねじ具１８を具備し、本体１６は、全体形状が略倒コ字状で、上方に開口し、上部に内向きに突出し間隔をおいて相対向する一対の抱持部１９・１９を設けた略蟻溝状部分を有し、下部にノブ付ボルト１７が貫通するバカ穴（ボルトを素通りさせる穴）を設けて成り、雌ねじ具１８は、略小判型で、中央にノブ付ボルト１７が螺合するねじ穴を設けてある。あおり止具５の抱持部１９・１９間の寸法Ｓ（図６参照）は、側面視で腕杆２の先端部の竿受部１２の縁部の寸法Ｐ（図５参照）及び腕杆２の突条部１４・１４内側の厚さＲ（図６参照）よりも大きく、腕杆２の基端部の突条部１４・１４の厚さＱ（図６参照）よりも小さくなっている。
【００１５】
あおり止具５は、ノブ付ボルト１７を本体１６のバカ穴に貫通させ、雌ねじ具１８のねじ穴に螺合させ、本体１６と雌ねじ具１８との間隔を開いている状態にし、抱持部１９・１９の間の隙間を、腕杆２先端部の竿受部１２の縁部（図５の寸法Ｐの部分）から挿入して９０度回動し、腕杆２の基端部まで移動させて、抱持部１９・１９が腕杆２の突条部１４・１４から抜け落ちないようにあおり止具５を腕杆２に係合させ、雌ねじ具１８を縦長の状態にして支柱１の対向突起部１５・１５間の隙間からガイド部６に挿入し、９０度回動して対向突起部１５・１５間の隙間から外れない状態にして、あおり止具５を支柱１に設けて成る。
【００１６】
なお、あおり止具５の本体１６を、一方の抱持部１９と他方の抱持部１９が別体になるように２分割あるいは３分割して、抱持部１９・１９が腕杆２の突条部１４・１４から抜け落ちないように、本体１６で突条部１４・１４を挟んだ状態にしてから、ねじ等で一体化して、あおり止具５を腕杆２に係合させてもよい。この場合、本体１６を腕杆２先端部の竿受部１２の縁部（図５の寸法Ｐの部分）から挿入する必要はなく、図５の寸法Ｐが図６の寸法Ｓより小さい必要はない。
【００１７】
腕杆２を垂直状態に収納するには、ノブ付ボルト１７を緩めた状態のままで、あおり止具５を支柱１のガイド部６に沿って持ち上げると（図４の状態）、腕杆２は、斜め上向きの使用状態から、案内突起１３・１３を中心にして上方に回動可能な状態となる。そして、腕杆２を上方に回動すると、突条部１４・１４の外側が蓋具３の上方の開口部の終端部に当接すると共に、突条部１４・１４の内側が蓋具３の外止部１１・１１に当接して、腕杆２は垂直状態になり、そのまま下方に移動すると、あおり止具５も腕杆２と共に下方に移動し、あおり止具５が停止具９に当接して収納状態となる（図５参照）。
【００１８】
また、この収納状態から腕杆２を上方に移動させると、あおり止具５も腕杆２と共に上方に移動し、案内突起１３が蓋具３の案内カバー１０に当接すると、腕杆２は回動が可能となる。腕杆２を回動しても、あおり止具５は、腕杆２の突条部１４・１４に係合すると共に、支柱１のガイド部６に摺動可能な状態で取り付けられたままであり、腕杆２の基端部の終端部が受止具７に当接すると共に、基端部の上縁部がストッパー８に当接して、腕杆２を斜め上に傾斜した使用状態に設定することができる（図３参照）。
【００１９】
そして、あおり止具５を下げて、抱持部１９・１９が突条部１４・１４の基端部内側に当接した状態にし、あおり止具５のノブ付ボルト１７を締め付ければ、本体１６と雌ねじ具１８で支柱１の対向突起部１５・１５を挟持し、あおり止具５は支柱１に固定される（図３参照）。腕杆２が上方に回動しようとすると、腕杆２の両面の突条部１４・１４が、あおり止具５の抱持部１９・１９に当接して、あおり止具５を押し上げようとする力がかかるが、あおり止具５が固定されて上方へ移動することができないため、腕杆２は、上方への回動が不能な状態となり、竿受部１２に物干竿が掛けられ、そこにシーツ等の表面積の大きい洗濯物が干してあって、強風が吹いてあおられたとしても、腕杆２は、上方に回動することがなく、下方に摺動して落下して、洗濯物が汚れたり、物干装置が壊れたりするという事故を未然に防ぐことができる。
【実施例２】
【００２０】
図９〜図１１に基づいて本発明の実施例２を説明する。
腕杆３２の基端部に、係止孔３４を設け、あおり止具３５は、本体３６、ノブ付ボルト３７、雌ねじ具３８及び係合ピン３９を具備しており、あおり止具３５を腕杆３２に係合させる構成が実施例１とは異なるが、他の構成は、実施例１と同様であるので説明は省略する。
【００２１】
係止孔３４は、腕杆３２が斜め上向き状態の時に垂直状になる孔と、その上端に続き、案内突起３３を回転中心とする円弧状の孔を連続して設けて成り、あおり止具３５の本体３６は、全体形状が略倒コ字状で、実施例１の抱持部１９・１９がなく先端部に係合ピン３９を取り付けられるようになっている。
【００２２】
実施例１と同様にあおり止具３５を支柱３１に設け、腕杆３２を斜め上向き状態にして、係合ピン３９を本体３６の二股になった先端部の一方のバカ穴から挿通し、腕杆３２の係止孔３４を通過させ、もう一方の本体３６に螺合して、あおり止具３５を腕杆３２に係合させる（図９及び図１１参照）。
【００２３】
図９に示すように、腕杆３２を斜め上に傾斜した使用状態にして、あおり止具３５の係合ピン３９を係止孔３４の垂直状の孔の下端部まで下げ、ノブ付ボルト３７を締め付けると、実施例１と同様に、あおり止具３５は支柱３１に固定される。そして、腕杆３２が上方に回動しようとすると、腕杆３２の係止孔３４の縁が、あおり止具３５の係合ピン３９に当接して、腕杆３２は、上方への回動が不能な状態となる。
【００２４】
さらに、腕杆３２を垂直状態に収納するには、ノブ付ボルト３７を緩めて、あおり止具３５を、係合ピン３９が係止孔３４の円弧状の孔に達するまで持ち上げれば、腕杆３２は、上方への回動が可能な状態となる。それ以降の動き等は実施例１と同様であるので省略する。
【００２５】
なおこの実施例２においては、係止孔３４には、腕杆３２が斜め上向き状態の時に垂直状になっている孔があるため、あおり止具３５の係合ピン３９を係止孔３４の垂直状の孔の下端部にある時には、腕杆３２が上方へ回動しようとしても、あおり止具３５が上方へ移動する力はかからないので、ノブ付ボルト３７を締め付けてあおり止具３５を固定しなくても、腕杆３２は、上方への回動が不能な状態となる。従って、あおり止具３５は、支柱３１に摺動可能に設けられていれば、固定できも必要はない。
【００２６】
要するに、本発明は、ガイド部に、あおり止具を摺動可能に設けて成り、あおり止具は、腕杆の基端部と係合しており、腕杆の上方への回動を不能にする状態と可能にする状態とに変更することができれぱよい。
【符号の説明】
【００２７】
１    支柱
２    腕杆
５    あおり止具
６    ガイド部
１２    竿受部
３１    支柱
３２    腕杆
３５    あおり止具
【図１】
2010167075.tif 000003
【図２】
2010167075.tif 000004
【図３】
2010167075.tif 000005
【図４】
2010167075.tif 000006
【図５】
2010167075.tif 000007
【図６】
2010167075.tif 000008
【図７】
2010167075.tif 000009
【図８】
2010167075.tif 000010
【図９】
2010167075.tif 000011
【図１０】
2010167075.tif 000012
【図１１】
2010167075.tif 000013